(57)【特許請求の範囲】
【請求項１】
殻付きの餌を落下させるための餌落下用穴が下部に形成されて前記餌を内部に溜めるための餌タンクと、前記餌タンクの内部から前記餌落下用穴を介して前記餌タンクの外部に落下する前記餌を受ける餌受け部を有する餌トレーとを備え、
前記餌トレーは、前記餌受け部の壁部であって前記餌受け部に溜まった前記餌を食べている最中の小鳥が留まるための留まり用壁部を備え、
前記餌受け部は、前記餌タンクと交差する方向を長手方向として延在しており、
前記留まり用壁部は、前記長手方向とは直交する方向における前記餌受け部の端に配置されていることを特徴とする小鳥用給餌装置。
【請求項２】
前記餌トレーは、前記餌が前記餌受け部の外部に落下することを防止するために前記長手方向における前記餌受け部の端に配置された落下防止用壁部を備え、
前記落下防止用壁部は、前記留まり用壁部と隣接する部分において前記留まり用壁部より高さが低いことを特徴とする請求項１に記載の小鳥用給餌装置。
【請求項３】
前記留まり用壁部は、前記長手方向に直交する断面の形状が弧状であることを特徴とする請求項１または請求項２に記載の小鳥用給餌装置。
【発明の詳細な説明】
【技術分野】
【０００１】
本発明は、小鳥に餌を与えるための小鳥用給餌装置に関する。
【背景技術】
【０００２】
従来の小鳥用給餌装置として、殻付きの餌を落下させるための餌落下用穴が下部に形成されて餌を内部に溜めるための餌タンクと、餌タンクの内部から餌落下用穴を介して餌タンクの外部に落下する餌を受ける餌受け部を有する餌トレーとを備えているものが知られている（例えば、特許文献１参照。）。
【特許文献１】特開２００５−０１３１８４号公報
【発明の開示】
【発明が解決しようとする課題】
【０００３】
しかしながら、従来の小鳥用給餌装置においては、小鳥が餌を食べ終わった後に餌の殻が餌受け部に溜まるので、餌受け部に溜まった殻を小鳥の飼い主などの小鳥用給餌装置の使用者が除去しなければならず、使用者に負担がかかるという問題がある。
【０００４】
そこで、本発明は、使用者にかかる負担を従来より低減することができる小鳥用給餌装置を提供することを目的とする。
【課題を解決するための手段】
【０００５】
本発明の小鳥用給餌装置は、殻付きの餌を落下させるための餌落下用穴が下部に形成されて前記餌を内部に溜めるための餌タンクと、前記餌タンクの内部から前記餌落下用穴を介して前記餌タンクの外部に落下する前記餌を受ける餌受け部を有する餌トレーとを備え、前記餌トレーは、前記餌受け部の壁部であって前記餌受け部に溜まった前記餌を食べている最中の小鳥が留まるための留まり用壁部を備え、前記餌受け部は、前記餌タンクと交差する方向を長手方向として延在しており、前記留まり用壁部は、前記長手方向とは直交する方向における前記餌受け部の端に配置されていることを特徴とする。
【０００６】
この構成により、本発明の小鳥用給餌装置は、餌受け部に溜まった餌を食べるために留まり用壁部に留まった小鳥が羽を広げたときに、広がった羽と餌受け部が略平行である。そのため、留まり用壁部に留まった小鳥が羽ばたくときに、小鳥の羽ばたきによって発生する風は、餌受け部に効率よく吹き込んで餌受け部に溜まった殻を餌受け部の外部に吹き飛ばす。したがって、本発明の小鳥用給餌装置は、餌受け部に溜まった殻を従来のように使用者が除去する手間を低減することができる。すなわち、本発明の小鳥用給餌装置は、使用者にかかる負担を従来より低減することができる。
【０００７】
本発明の小鳥用給餌装置の前記餌トレーは、前記餌が前記餌受け部の外部に落下することを防止するために前記長手方向における前記餌受け部の端に配置された落下防止用壁部を備え、前記落下防止用壁部は、前記留まり用壁部と隣接する部分において前記留まり用壁部より高さが低いことが好ましい。
【０００８】
この構成により、本発明の小鳥用給餌装置は、落下防止用壁部が留まり用壁部と隣接する部分において留まり用壁部と高さが同じである構成と比較して、小鳥の羽ばたきによって発生する風によって吹き飛ばされた殻が落下防止用壁部を乗り越えて餌受け部の外部に落下しやすいので、餌受け部に溜まった殻を使用者が除去する手間を低減することができる。また、本発明の小鳥用給餌装置は、落下防止用壁部が留まり用壁部と隣接する部分において留まり用壁部と高さが同じである構成と比較して、落下防止用壁部に小鳥が留まり辛いので、留まり用壁部に小鳥が留まる可能性を向上することができる。
【０００９】
本発明の小鳥用給餌装置の前記留まり用壁部は、前記長手方向に直交する断面の形状が弧状であることが好ましい。
【００１０】
この構成により、本発明の小鳥用給餌装置は、小鳥の羽ばたきによって発生する風が留まり用壁部の壁面に沿って流れて留まり用壁部と餌との隣接部分で確実に殻に吹きかかるので、留まり用壁部と餌との隣接部分に風が吹き込まずに殻が溜まるということを防止することができる。
【発明の効果】
【００１１】
本発明の小鳥用給餌装置は、餌受け部に溜まった餌を食べるために留まり用壁部に留まった小鳥が羽を広げたときに、広がった羽と餌受け部が略平行である。そのため、留まり用壁部に留まった小鳥が羽ばたくときに、小鳥の羽ばたきによって発生する風は、餌受け部に効率よく吹き込んで餌受け部に溜まった殻を餌受け部の外部に吹き飛ばす。したがって、本発明の小鳥用給餌装置は、餌受け部に溜まった殻を従来のように使用者が除去する手間を低減することができる。すなわち、本発明の小鳥用給餌装置は、使用者にかかる負担を従来より低減することができる。
【発明を実施するための最良の形態】
【００１２】
以下、本発明の一実施の形態について、図面を用いて説明する。
【００１３】
まず、本実施の形態に係る小鳥用給餌装置の構成について説明する。
【００１４】
図１は、本実施の形態に係る小鳥用給餌装置１０の外観斜視図である。図２、図３、図４は、それぞれ小鳥用給餌装置１０の正面図、右側面図、平面図である。図５は、小鳥用給餌装置１０の背面側から見た分解斜視図である。
【００１５】
図１〜図５に示すように、小鳥用給餌装置１０は、殻付きの餌であるキビを落下させるための餌落下用穴２０ａが下部に形成されてキビを内部に溜めるための餌タンク２０と、餌タンク２０の内部から餌落下用穴２０ａを介して餌タンク２０の外部に落下するキビを受ける餌受け部３０ａを有する餌トレー３０とを備えており、図示していない鳥かごに固定されるものである。
【００１６】
餌タンク２０は、使用者が餌タンク２０の内部にキビを入れるための餌入れ穴２０ｂが上部に形成されている。
【００１７】
ここで、餌タンク２０は、餌入れ穴２０ｂが一端に形成されて他端が傾斜している筒２１と、餌落下用穴２０ａが形成されて筒２１の他端に接着された板２２とによって構成されている。
【００１８】
例えば、筒２１および板２２の板厚は、３ｍｍである。また、筒２１の外径は、５ｃｍである。また、板２２の餌落下用穴２０ａの直径は、２ｃｍである。
【００１９】
餌受け部３０ａは、餌タンク２０と交差する方向、すなわち矢印１０ａで示す方向を長手方向として延在している。餌トレー３０は、餌受け部３０ａの壁部であって餌受け部３０ａに溜まったキビを食べている最中の小鳥が留まるための留まり用壁部３０ｂと、キビが餌受け部３０ａの外部に落下することを防止するために餌受け部３０ａの長手方向、すなわち矢印１０ａで示す方向における餌受け部３０ａの端に配置された落下防止用壁部３０ｃとを備えている。留まり用壁部３０ｂは、矢印１０ａで示す方向とは直交する矢印１０ｂで示す方向における餌受け部３０ａの端に配置されている。また、落下防止用壁部３０ｃは、留まり用壁部３０ｂと隣接する部分において留まり用壁部３０ｂより高さが低く形成されている。
【００２０】
ここで、餌トレー３０は、餌受け部３０ａおよび留まり用壁部３０ｂが一端に形成されて他端が傾斜している筒３１と、筒３１の一端に接着されて落下防止用壁部３０ｃを形成する板３２と、留まり用壁部３０ｂに被せられたビニールカバー３３とによって構成されている。筒３１の他端は、板２２に対して筒２１とは反対側から板２２に接着されている。
【００２１】
例えば、筒３１および板３２の板厚は、３ｍｍである。また、筒３１の外径は、５ｃｍである。矢印１０ａで示す方向における留まり用壁部３０ｂの長さは、８．５ｃｍである。留まり用壁部３０ｂの高さは、２．５ｃｍである。また、板３２は、直径５ｃｍの丸板の中心から１．５ｃｍ離れた位置で切り離された形状である。
【００２２】
図６は、筒２１および筒３１を切り出す前の筒４０の側面図である。
【００２３】
図６に示すように、筒２１および筒３１は、破線で示した切断線４０ａ、４０ｂで１つの筒４０から切り出されるようになっている。なお、切断線４０ａは、筒２１と、筒３１とを切り離すための切断線である。切断線４０ｂは、筒３１に留まり用壁部３０ｂ（図５参照。）を形成するための切断線である。
【００２４】
次に、小鳥用給餌装置１０の機能について説明する。
【００２５】
図７は、留まり用壁部３０ｂに留まってキビ８０を食べている小鳥９０を示す図である。図８は、留まり用壁部３０ｂに留まって羽ばたいている小鳥９０を示す図である。
【００２６】
ここで、例えば、小鳥９０は、嘴から尾までの体長が１２ｃｍである。
【００２７】
使用者が餌タンク２０の餌入れ穴２０ｂから餌タンク２０の内部にキビ８０を入れると、図７に示すように、キビ８０は、餌タンク２０の内部から餌落下用穴２０ａ（図２参照。）を介して餌タンク２０の外部に落下して餌受け部３０ａに溜まる。ここで、餌受け部３０ａに溜まったキビ８０の山は、餌落下用穴２０ａ側から落下防止用壁部３０ｃ側にかけて低くなる。
【００２８】
小鳥９０は、餌受け部３０ａに溜まったキビ８０を食べるために留まり用壁部３０ｂに留まる。そして、小鳥９０がキビ８０を食べると、餌受け部３０ａには、キビ８０の他に、キビ８０の殻８１も溜まる。
【００２９】
ここで、留まり用壁部３０ｂは、矢印１０ａで示す餌受け部３０ａの長手方向とは直交する方向、すなわち矢印１０ｂで示す方向における餌受け部３０ａの端に配置されている。したがって、小鳥用給餌装置１０は、餌受け部３０ａに溜まったキビ８０を食べるために留まり用壁部３０ｂに留まった小鳥９０が図８に示すように羽を広げたときに、広がった羽と餌受け部３０ａが略平行である。そのため、留まり用壁部３０ｂに留まった小鳥９０が羽ばたくときに、小鳥９０の羽ばたきによって発生する風は、餌受け部３０ａに効率よく吹き込んで餌受け部３０ａに溜まったキビ８０の殻８１を落下防止用壁部３０ｃの上部を介して餌受け部３０ａの外部に吹き飛ばす。したがって、小鳥用給餌装置１０は、餌受け部３０ａに溜まった殻８１を従来のように使用者が除去する手間を低減することができる。すなわち、小鳥用給餌装置１０は、使用者にかかる負担を従来より低減することができる。
【００３０】
なお、留まり用壁部３０ｂは、小鳥９０が留まり易くするために本実施の形態においてビニールカバー３３が被せられているが、本発明によればビニールカバー３３が被せられていなくても良い。
【００３１】
図９は、図１に示す形状とは異なる形状の小鳥用給餌装置１０の右側面図である。
【００３２】
また、小鳥用給餌装置１０は、図３に示すように落下防止用壁部３０ｃが留まり用壁部３０ｂと隣接する部分において留まり用壁部３０ｂより低いので、図９に示すように落下防止用壁部３０ｃが留まり用壁部３０ｂと隣接する部分において留まり用壁部３０ｂと高さが同じである構成と比較して、小鳥９０の羽ばたきによって発生する風によって吹き飛ばされた殻８１が落下防止用壁部３０ｃを乗り越えて餌受け部３０ａの外部に落下しやすい。したがって、小鳥用給餌装置１０は、落下防止用壁部３０ｃが留まり用壁部３０ｂと隣接する部分において留まり用壁部３０ｂと高さが同じである構成と比較して、餌受け部３０ａに溜まった殻８１を使用者が除去する手間を低減することができる。
【００３３】
図１０は、図１および図９に示す形状とは異なる形状の小鳥用給餌装置１０の右側面図である。
【００３４】
なお、小鳥用給餌装置１０は、図１０に示すように、落下防止用壁部３０ｃが餌落下用穴２０ａ（図２参照。）から遠いほど高くなるように傾斜している場合、落下防止用壁部３０ｃの傾斜に沿って殻８１が落下防止用壁部３０ｃを乗り越えやすいので、落下防止用壁部３０ｃが留まり用壁部３０ｂと隣接する部分において留まり用壁部３０ｂと高さが同じである構成であっても、図３に示す構成と同様の効果を得ることができる。
【００３５】
また、小鳥用給餌装置１０は、落下防止用壁部３０ｃが十分に低ければ、落下防止用壁部３０ｃが留まり用壁部３０ｂと隣接する部分において留まり用壁部３０ｂと高さが同じである構成であっても、図３に示す構成と同様の効果を得ることができる。
【００３６】
また、小鳥用給餌装置１０は、図３に示すように落下防止用壁部３０ｃが留まり用壁部３０ｂと隣接する部分において留まり用壁部３０ｂより低いので、図９に示すように落下防止用壁部３０ｃが留まり用壁部３０ｂと隣接する部分において留まり用壁部３０ｂと高さが同じである構成と比較して、落下防止用壁部３０ｃに小鳥９０が留まり辛いので、留まり用壁部３０ｂに小鳥９０が留まる可能性を向上することができる。
【００３７】
図１１は、留まり用壁部３０ｂの断面図であって、矢印１０ａ（図３参照。）で示す餌受け部３０ａの長手方向に直交する断面を示す図である。
【００３８】
図１１に示すように、留まり用壁部３０ｂは、矢印１０ａで示す長手方向に直交する断面の形状が弧状である。したがって、小鳥用給餌装置１０は、小鳥９０の羽ばたきによって発生する風が留まり用壁部３０ｂの壁面に沿って流れて留まり用壁部３０ｂとキビ８０との隣接部分で確実に殻８１に吹きかかるので、留まり用壁部３０ｂとキビ８０との隣接部分に風が吹き込まずに殻８１が溜まるということを防止することができる。
【００３９】
なお、留まり用壁部３０ｂは、矢印１０ａで示す長手方向に直交する断面の形状が弧状でなくても良い。例えば、留まり用壁部３０ｂは、餌受け部３０ａに溜まったキビ８０に対して比較的低ければ、留まり用壁部３０ｂとキビ８０との隣接部分に風が吹き込まずに殻８１が溜まるということを防止することができる。
【００４０】
図１２は、図１、図９および図１０に示す形状とは異なる形状の小鳥用給餌装置１０の右側面図である。
【００４１】
小鳥用給餌装置１０は、図１、図９および図１０において留まり用壁部３０ｂが水平であるが、餌受け部３０ａに溜まったキビ８０を食べている最中の小鳥９０が留まることができれば留まり用壁部３０ｂは水平でなくても良い。例えば、留まり用壁部３０ｂは、図１２に示すように餌落下用穴２０ａ（図２参照。）から遠いほど低くなるように傾斜していても良い。
【図面の簡単な説明】
【００４２】
【図１】本発明の一実施の形態に係る小鳥用給餌装置の外観斜視図である。
【図２】図１に示す小鳥用給餌装置の正面図である。
【図３】図１に示す小鳥用給餌装置の右側面図である。
【図４】図１に示す小鳥用給餌装置の平面図である。
【図５】図１に示す小鳥用給餌装置の背面側から見た分解斜視図である。
【図６】図１に示す小鳥用給餌装置の構成部品である２つの筒を切り出す前の筒の側面図である。
【図７】図１に示す小鳥用給餌装置の留まり用壁部に留まってキビを食べている小鳥を示す図である。
【図８】図１に示す小鳥用給餌装置の留まり用壁部に留まって羽ばたいている小鳥を示す図である。
【図９】図１に示す形状とは異なる形状の小鳥用給餌装置の右側面図である。
【図１０】図１および図９に示す形状とは異なる形状の小鳥用給餌装置の右側面図である。
【図１１】図１に示す小鳥用給餌装置の留まり用壁部の断面図であって、餌受け部の長手方向に直交する断面を示す図である。
【図１２】図１、図９および図１０に示す形状とは異なる形状の小鳥用給餌装置の右側面図である。
【符号の説明】
【００４３】
１０  小鳥用給餌装置
２０  餌タンク
２０ａ  餌落下用穴
３０  餌トレー
３０ａ  餌受け部
３０ｂ  留まり用壁部
３０ｃ  落下防止用壁部
８０  キビ（餌）
８１  殻
９０  小鳥
【要約】
【課題】  使用者にかかる負担を従来より低減することができる小鳥用給餌装置を提供する。
【解決手段】  小鳥用給餌装置１０は、殻付きの餌を落下させるための餌落下用穴が下部に形成されて餌を内部に溜めるための餌タンク２０と、餌タンク２０の内部から餌落下用穴を介して餌タンク２０の外部に落下する餌を受ける餌受け部３０ａを有する餌トレー３０とを備え、餌トレー３０は、餌受け部３０ａの壁部であって餌受け部３０ａに溜まった餌を食べている最中の小鳥が留まるための留まり用壁部３０ｂを備え、餌受け部３０ａは、餌タンク２０と交差する矢印１０ａで示す方向を長手方向として延在しており、留まり用壁部３０ｂは、餌受け部３０ａの矢印１０ａで示す長手方向とは直交する矢印１０ｂで示す方向における餌受け部３０ａの端に配置されていることを特徴とする。
【選択図】  図１【図１】
0004242443.tif 000002
【図２】
0004242443.tif 000003
【図３】
0004242443.tif 000004
【図４】
0004242443.tif 000005
【図５】
0004242443.tif 000006
【図６】
0004242443.tif 000007
【図７】
0004242443.tif 000008
【図８】
0004242443.tif 000009
【図９】
0004242443.tif 000010
【図１０】
0004242443.tif 000011
【図１１】
0004242443.tif 000012
【図１２】
0004242443.tif 000013